(57)【特許請求の範囲】
【請求項１】
少なくとも、
１）遊技機の機能を制御する電子部品を装着した主基板を、基板ケース本体と基板ケースカバーとで挟み、前記主基板上の電子部品の脱着が不可能であるように一体化した基板ケースに収納し、
２）前記基板ケースの周縁のいずれかの側縁から平面方向に外側へ向けて突出する封止部を設け、前記封止部には前記基板ケースを遊技機へ取り付け封止する複数個のピン挿通部を側縁に沿って備えて基板ケース取付封止部とし、前記ピン挿通部に所定の形状をしたセフティロックピンを挿通すると前記セフティロックピンが抜けない所定の構造とし、また前記セフティロックピンは前記基板ケースの裏面より幾分かオフセット部として突出する構造とし、
３）前記基板ケースを、少なくとも１つの所定の位置から所定の方向へ平行移動することにより、前記基板ケースの少なくとも１つの側縁の一部を所定の位置で受け止め、前記基板ケースを前記遊技機の取り付け面から離すことを阻止するように前記遊技機へ係止し、前記遊技機へ係止された基板ケースは、前記基板ケースを係止したときの方向と逆の方向へ平行移動することにより、前記遊技機の取り付け面より離せる前記封止部の補助部となる基板ケース係止手段を備え、
４）前記基板ケースが前記基板ケース係止手段により係止された位置で、前記セフティロックピンを前記ピン挿通部へ挿通した時に、前記オフセット部の位置に対応する前記遊技機側の基板ケース取り付け面に、前記オフセット部を嵌め込むセフティロックピン嵌込穴部を備え、
５）前記基板ケースを前記基板ケース係止手段により前記遊技機へ係止し、前記セフティロックピンを前記ピン挿通部へ挿通することにより、前記オフセット部が、前記嵌込穴部へ嵌め込まれ、前記基板ケースを平行移動不可能として封止を行い、
６）前記セフティロックピン又は前記セフティロックピンを支えるピン挿通部又はピン挿通部を支える所定の部分を破壊し、前記セフティロックピンのオフセット部を前記嵌込穴部から除外することにより前記封止を解除し、前記基板ケースを前記遊技機より取り外すことを可能として、前記封止の解除履歴を前記破壊の痕跡として残し基板ケースの取付封止を行うことを特徴とする遊技機の基板ケースの封止構造。
【請求項２】
前記基板ケース係止手段は、前記基板ケースの少なくとも１箇所の側縁を所定の位置で「コ」形状部により挟み込み係止する係止部を前記遊技機の所定の位置に備え、
前記基板ケースを所定の位置から所定の方向へ平行移動することにより、前記基板ケースの側縁を前記「コ」形状部へ挟み込み前記基板ケースを前記遊技機へ係止し、前記セフティロックピンを前記封止部のピン挿通部へ挿通して封止し基板ケースの取付封止を行うことを特徴とする請求項１記載の遊技機の基板ケースの封止構造。
【請求項３】
前記基板ケース係止手段は、前記基板ケースの第１の側縁を所定の位置で「コ」形状部により挟み込み係止する第１の係止部と、前記第１の側縁と概ね直角に位置する前記基板ケースの第２の側縁を所定の位置で「コ」形状部により挟み込み係止する第２の係止部を前記遊技機に備え、
前記基板ケースを所定の位置から所定の方向へ平行移動することにより、前記基板ケースの第１の側縁を前記第１の係止部の前記「コ」形状部へ挟み込み、前記基板ケースを前記遊技機の第１の係止部で係止し、
前記基板ケースの第１の側縁を前記第１の係止部で係止した状態で、前記基板ケースを遊技機の基板ケース取り付け面上で概ね直角の所定の方向へ平行移動することにより、前記基板ケースの第２の側縁を前記第２の係止部の「コ」形状部へ挟み込み、前記基板ケースを前記遊技機へ前記第２の係止部で係止し、
前記セフティロックピンを前記封止部のピン挿通部へ挿通して封止し基板ケースの取付封止を行うことを特徴とする請求項１記載の遊技機の基板ケースの封止構造。
【請求項４】
前記基板ケース係止手段は、前記基板ケースの少なくとも１箇所の側縁から平面方向に外へ向けて出る突起部を少なくとも１つ設け、前記突起部に対応した前記遊技機の所定の位置に前記基板ケースの突起部を受け入れる係合穴を備えた「コ」形状部で前記基板ケースを挟み込み係止する係止部を備え、
前記基板ケースを所定の位置から所定の方向へ平行移動することにより、前記基板ケースの突起部を前記係合穴にスライド挿入すると同時に、前記基板ケースの側縁を前記「コ」形状部へ挟み込み、前記基板ケースを前記遊技機へ係止し、
前記セフティロックピンを前記封止部のピン挿通部へ挿通して封止し基板ケースの取付封止を行うことを特徴とする請求項１記載の遊技機の基板ケースの封止構造。
【請求項５】
前記基板ケース係止手段は、前記基板ケースの第１の側縁を所定の位置で「コ」形状部により挟み込み係止する第１の係止部を前記遊技機に備え、
前記第１の側縁と概ね直角に位置する前記基板ケースの第２の側縁には、前記基板ケースから平面方向に外へ向けて出る突起部を少なくとも１つ備え、前記突起部に対応した前記遊技機の所定の位置に前記基板ケースの突起部を受け入れる係合穴を備えた第２の係止部を備え、
前記基板ケースを所定の位置から所定の方向へ平行移動することにより、前記基板ケースの第１の側縁を前記第１の係止部の前記「コ」形状部へ挟み込み、前記基板ケースを前記遊技機の第１の係止部で係止し、
前記基板ケースの第１の側縁を前記第１の係止部で係止した状態で、前記基板ケースを前記第１の係止部へ係止したときに平行移動した方向と概ね直角の所定の方向へ平行移動することにより、前記基板ケースの第２の側縁にある突起部を前記第２の係止部の係合穴にスライド挿入して、前記基板ケースを前記遊技機へ前記第２の係止部で係止し、
前記セフティロックピンを前記封止部のピン挿通部へ挿通して封止し基板ケースの取付封止を行うことを特徴とする請求項１記載の遊技機の基板ケースの封止構造。
【請求項６】
前記基板ケース係止手段は、前記基板ケースの第１の側縁に沿って前記基板ケースから平面方向に外へ向けて突出する所定の長さのミミ突出部を少なくとも１つ備え、前記ミミ突出部を所定の位置で「コ」形状部により挟み込み係止する第１の係止部を前記遊技機に備え、
前記第１の側縁と概ね直角に位置する前記基板ケースの第２の側縁には、前記基板ケースから平面方向に外へ向けて出る突起部を少なくとも１つ備え、前記突起部に対応した前記遊技機の所定の位置に前記基板ケースの突出部を受け入れる係合穴を備えた第２の係止部を備え、
前記基板ケースを所定の位置から所定の方向へ平行移動することにより、前記基板ケースの第１の側縁にあるミミ突出部を前記第１の係止部の前記「コ」形状部へ挟み込み、前記基板ケースを前記遊技機の第１の係止部で係止し、
前記基板ケースの第１の側縁を前記第１の係止部で係止した状態で、前記基板ケースを前記第１の係止部へ係止したときに平行移動した方向と概ね直角の所定の方向へ平行移動することにより、前記基板ケースの第２の側縁にある突起部を前記第２の係止部の係合穴にスライド挿入して前記基板ケースを前記遊技機へ前記第２の係止部で係止し、
前記セフティロックピンを前記封止部のピン挿通部へ挿通して封止し基板ケースの取付封止を行うことを特徴とする請求項１記載の遊技機の基板ケースの封止構造。
【請求項７】
前記基板ケース係止手段は、前記基板ケースの第１の側縁に沿って側縁の長さより十分に短く前記基板ケースから平面方向に外へ向けて突出する所定の長さのミミ突出部を少なくとも１つ備え、前記ミミ突出部を所定の位置で「コ」形状部により挟み込み係止する第１の係止部を前記遊技機に備え、
前記第１の側縁と概ね直角に位置する前記基板ケースの第２の側縁には、前記基板ケースから平面方向に外へ向けて出る突起部を少なくとも１つ備え、前記突出部に対応した前記遊技機の所定の位置に前記基板ケースの突起部を受け入れる係合穴を備えた第２の係止部を備え、
前記基板ケースの第２の側縁にある突起部を前記第２の係合部の係合穴にスライド挿入する寸前の位置に置いたときに、前記基板ケースの第１の側縁にあるミミ突出部を縁に沿った方向に平行移動すれば前記第１の係止部の「コ」形状部の中に挟むことができる位置となるように構成し、
前記基板ケースの第２の側縁にある突起部を前記第２の係合部の係合穴にスライド挿入する寸前の位置に置き、前記第１の側縁にあるミミ突出部を平行移動すれば前記第１の係止部の「コ」形状部の中に挟むことができる所定の位置に置き、
前記基板ケースを第１の側縁に沿って平行移動し、前記基板ケースの第２の側縁にある突起部を前記第２の係合部の係合穴にスライド挿入することで、前記基板ケースを前記遊技機へ前記第２の係止部で係止し、
同時に前記基板ケースの第１の側縁にあるミミ突出部を前記第１の係止部の前記「コ」形状部へ挟み込み、前記基板ケースを前記遊技機へ前記第１の係止部で係止し、
前記セフティロックピンを前記封止部のピン挿通部へ挿通して封止し基板ケースの取付封止を行うことを特徴とする請求項１記載の遊技機の基板ケースの封止構造。
【請求項８】
前記基板ケースの第２の側縁の突起部を受け入れる係合穴を備えた前記遊技機の所定の位置に備える第２の係止部は、
前記第２の側縁にある突起部に対応した所定の位置に、前記基板ケースの突起部に対応して前記突起部を受け入れる係合穴を備え、遊技機の基板ケース取り付け面に対して概ね直立する面状をした係止部、又は、前記第２の側縁の突起部を受け入れる係合穴を備えた「コ」形状部であって、前記基板ケースを所定の位置から所定の方向に平行移動することにより、前記第２の側縁の突起部を前記係合穴へスライド挿入し、かつ前記基板ケースを前記「コ」形状部で挟み込み係止する係止部、であることを特徴とする請求項５乃至７のいずれか１つに記載の遊技機の基板ケースの封止構造。
【請求項９】
少なくとも、
１）頭部と、その下にある形状部と、更にその下にある係止部を構成するピンの爪部と、更に下にあるピン部からなり、前記頭部は治具により回転の力を与えることが可能な形状であり、前記形状部は異形を形成し、前記爪部は少なくとも１本の爪からなり前記頭部に向かって前記爪が開いた形状をしていて弾性を持って開いた状態を保持し、前記爪を閉じるとピン部の最小径に近い径の穴を通過可能な径となり、前記ピン部の最大径は、前記異形部の最小径より小であるセフッティロックピンを備え、
２）前記セフティロックピンを、基板ケースの基板ケースカバー側に備わっていて異形穴部からなるピン挿通部へ挿通することにより封止され、前記ピン挿通部は破壊容易なリブにより中空的に基板ケースカバーに支持されていて、前記異形穴部は前記セフティロックピンの形状部と同形をしていて僅かに大きな形状で一致し、前記セフティロックピンは、前記セフティロックピンのピン部から挿通され、次に爪部が閉じた状態で挿通され、次に形状部が所定の位置まで挿通された所で、前記爪部が設けられた空間で開き、セフティロックピンを抜くことを不可能とし、基板ケースが係止された位置で前記セフティロックピンのピン部の先端は、前記挿通部の基板ケース本体に開けられた挿通穴を通過して前記基板ケースの裏面より幾分かオフセット部として突出して、前記オフセット部の位置に対応する前記遊技機側の基板ケース取り付け面に設けられた前記オフセット部を嵌め込む嵌込穴部まで到達し、基板ケースを平行移動することを不可能とすることにより前記基板ケースを遊技機へ封止し、
３）前記セフティロックピンの頭部へ治具により回転力を与え、前記セフティロックピンの形状部を回転させることにより、前記異形穴部を介して前記ピン挿通部を支持しているリブへ力を与え、前記リブを破壊し、前記セフティロックピンを除去することにより封止の解除がなされ、前記封止の解除を前記リブの破壊の痕跡として残すことにより前記封止の解除の履歴として残すことを特徴とする請求項１記載の遊技機の基板ケースの封止構造。
【請求項１０】
前記基板ケースの封止部に位置し、基板ケースの裏側へ「コ」の字状に下へフック形状を形成したフック係合部を設け、前記基板ケースを所定の位置から基板ケース取付板の表面をスライドすることにより、前記フック係合部を基板ケース取付板に引っかかる構造とし、遊技機へ基板ケースを密着させる基板ケース取付封止の補助部となる前記フック係合部を設け基板ケースの取付封止を行うことを特徴とする請求項１乃至９のいずれか１つに記載の遊技機の基板ケースの封止構造。
【請求項１１】
前記基板ケースの基板ケースカバーは、透明又は半透明で、前記基板ケースカバー側から、前記主基板に装着されている部品の状態を観測可能であることを特徴とする請求項１乃至１０のいずれか１つに記載の遊技機の基板ケースの封止構造。
【発明の詳細な説明】
【０００１】
【発明の属する技術分野】
本発明は、スロットマシン、パチンコ機等の遊技機に使用されている遊技機用の制御基板を収納するための遊技機用の基板ケースに関するものである。
【０００２】
【従来の技術】
従来、スロットマシン等の遊技機では、基板ケース本体と基板ケースカバーにより開閉自在に構成された基板ケース内に、マイクロプロセッサやＲＯＭ、ＲＡＭ等の電子部品が装着・実装された主制御基板（主基板と呼ぶ）を収納して基板ケースとし、この基板ケースを遊技機内部にある基板ケース取付板に装着し、遊技機を構成する周辺部との間に配線を施し、この主基板上に装着された電子部品等により遊技動作を制御する電子制御方式を採用している。
【０００３】
この種の遊技機では、主基板上に装着されたＲＯＭ等の電子部品を不正に交換できないようにすると同時に、監督官庁等の検査機関による検査の時には、その基板ケースを開けて容易に検査できるようにしておく必要がある。
【０００４】
そこで、従来の遊技機では、主基板に実装されているＲＯＭと基板の間に所定のシールを貼り、ＲＯＭの交換を不可とし、更にこのＲＯＭを装着した主基板を中に収納した基板ケース封印シール用のシール貼付部を設け、制御基板を基板ケースに収納した後、基板ケースのシール貼付部に封印シールを貼付して封印するようにし、更に基板ケースを遊技機の基板ケース取付板に装着し、同じく封印シールにより封印している。
【０００５】
従って、封印シールを破って基板ケースを開封しＲＯＭ等の電子部品を交換する等の不正改造（変造、改竄）や、基板ケースを取り替える等の不正改造があれば、封印シールの破壊によって、開封された事実が容易に判るようになっている。
【０００６】
更に、検査機関による検査の時には、封印シールを破って基板ケースを容易に開封でき、検査終了後には検査員が、再度シール貼付部に封印シールを貼付することにより、基板ケースを容易に封印できるようになっている。
【０００７】
＜従来の問題点＞
しかしながら、従来の封印シールによる封印方式では、基板ケースを開けてＲＯＭを交換する等の不正改造や、基板ケースを取り替える等の不正改造を完全に防止し得ない欠点があった。
【０００８】
即ち、上述の封印方式では、粘着剤付きの封印シールを用い、この封印シールをシール貼付部に貼付しているため、その粘着力を低下させる特殊な溶剤を使用すれば、痕跡を残すことなく封印シールを比較的容易に剥がすことができ、また、その封印シールを再度シール貼付部に貼り付けることが可能である。
【０００９】
このため、基板ケースを開けてＲＯＭ等の電気部品を交換する不正改造が行われた場合、又は主基板の入っている封印された基板ケースをそっくり交換された場合でも、封印シールに痕跡が残らないため、単に基板ケースを外側から見て点検する程度では、不正事実を容易に発見できず、不正改造を助長する結果となっていた。
【００１０】
【発明が解決しようとする課題】
本発明は、以上のような従来の問題点に鑑み提案されるものである。即ち、本発明の目的は、基板ケースの遊技機への取付けの封止を開封（解除）する場合、基板ケース側に開封の痕跡を履歴として残し、開封の事実を容易に確認でき、また開封後に再封止する時にも容易に基板ケースを封止できる基板ケースの封止構造を提供する所にある。
【００１１】
【課題を解決するための手段】
本発明は、この課題を解決するためになされたものである。
【００１２】
本発明は、少なくとも、１）遊技機の機能を制御する電子部品を装着した主基板を、基板ケース本体と基板ケースカバーとで挟み、主基板上の電子部品の脱着が不可能であるように一体化した基板ケースに収納し、２）基板ケースの周縁のいずれかの側縁から平面方向に外側へ向けて突出する封止部を設け、封止部には基板ケースを遊技機へ取り付け封止する複数個のピン挿通部を側縁に沿って備えて基板ケース取付封止部とし、ピン挿通部に所定の形状をしたセフティロックピンを挿通するとセフティロックピンが抜けない所定の構造とし、またセフティロックピンは基板ケースの裏面より幾分かオフセット部として突出する構造とし、３）基板ケースを、少なくとも１つの所定の位置から所定の方向へ平行移動することにより、基板ケースの少なくとも１つの側縁の一部を所定の位置で受け止め、基板ケースを遊技機の取り付け面から離すことを阻止するように遊技機へ係止し、遊技機へ係止された基板ケースは、基板ケースを係止したときの方向と逆の方向へ平行移動することにより、遊技機の取り付け面より離せる封止部の補助部となる基板ケース係止手段を備え、４）基板ケースが基板ケース係止手段により係止された位置で、セフティロックピンをピン挿通部へ挿通した時に、オフセット部の位置に対応する遊技機側の基板ケース取り付け面に、オフセット部を嵌め込むセフティロックピン嵌込穴部を備え、５）基板ケースを基板ケース係止手段により遊技機へ係止し、セフティロックピンをピン挿通部へ挿通することにより、オフセット部が、嵌込穴部へ嵌め込まれ、基板ケースを平行移動不可能として封止を行い、６）セフティロックピン又はセフティロックピンを支えるピン挿通部又はピン挿通部を支える所定の部分を破壊し、セフティロックピンのオフセット部を嵌込穴部から除外することにより封止を解除し、基板ケースを遊技機より取り外すことを可能として、封止の解除履歴を破壊の痕跡として残すことを特徴とする遊技機の封止構造を提供する。
【００１３】
他の基板ケース係止手段は、基板ケースの少なくとも１箇所の側縁を所定の位置で「コ」形状部により挟み込み係止する係止部を遊技機の所定の位置に備え、基板ケースを所定の位置から所定の方向へ平行移動することにより、基板ケースの側縁を「コ」形状部へ挟み込み基板ケースを遊技機へ係止し、セフティロックピンを封止部のピン挿通部へ挿通して封止することを特徴とする。
【００１４】
更に他の基板ケース係止手段は、基板ケースの第１の側縁を所定の位置で「コ」形状部により挟み込み係止する第１の係止部と、第１の側縁と概ね直角に位置する基板ケースの第２の側縁を所定の位置で「コ」形状部により挟み込み係止する第２の係止部を遊技機に備え、基板ケースを所定の位置から所定の方向へ平行移動することにより、基板ケースの第１の側縁を第１の係止部の「コ」形状部へ挟み込み、基板ケースを遊技機の第１の係止部で係止し、基板ケースの第１の側縁を第１の係止部で係止した状態で、基板ケースを遊技機の基板ケース取り付け面上で概ね直角の所定の方向へ平行移動することにより、基板ケースの第２の側縁を第２の係止部の「コ」形状部へ挟み込み、基板ケースを遊技機へ第２の係止部で係止し、セフティロックピンを封止部のピン挿通部へ挿通して封止することを特徴とする。
【００１５】
更に他の基板ケース係止手段は、基板ケースの少なくとも１箇所の側縁から平面方向に外へ向けて出る突起部を少なくとも１つ設け、突起部に対応した遊技機の所定の位置に基板ケースの突起部を受け入れる係合穴を備えた「コ」形状部で基板ケースを挟み込み係止する係止部を備え、基板ケースを所定の位置から所定の方向へ平行移動することにより、基板ケースの突起部を係合穴にスライド挿入すると同時に、基板ケースの側縁を「コ」形状部へ挟み込み、基板ケースを遊技機へ係止し、セフティロックピンを封止部のピン挿通部へ挿通して封止することを特徴とする。
【００１６】
更に他の基板ケース係止手段は、基板ケースの第１の側縁を所定の位置で「コ」形状部により挟み込み係止する第１の係止部を遊技機に備え、第１の側縁と概ね直角に位置する基板ケースの第２の側縁には、基板ケースから平面方向に外へ向けて出る突起部を少なくとも１つ備え、突起部に対応した遊技機の所定の位置に基板ケースの突起部を受け入れる係合穴を備えた第２の係止部を備え、基板ケースを所定の位置から所定の方向へ平行移動することにより、基板ケースの第１の側縁を第１の係止部の「コ」形状部へ挟み込み、基板ケースを遊技機の第１の係止部で係止し、基板ケースの第１の側縁を第１の係止部で係止した状態で、基板ケースを第１の係止部へ係止したときに平行移動した方向と概ね直角の所定の方向へ平行移動することにより、基板ケースの第２の側縁にある突起部を第２の係止部の係合穴にスライド挿入して、基板ケースを遊技機へ第２の係止部で係止し、セフティロックピンを封止部のピン挿通部へ挿通して封止することを特徴とする。
【００１７】
更に他の基板ケース係止手段は、基板ケースの第１の側縁に沿って基板ケースから平面方向に外へ向けて突出する所定の長さのミミ突出部を少なくとも１つ備え、ミミ突出部を所定の位置で「コ」形状部により挟み込み係止する第１の係止部を遊技機に備え、第１の側縁と概ね直角に位置する基板ケースの第２の側縁には、基板ケースから平面方向に外へ向けて出る突起部を少なくとも１つ備え、突起部に対応した遊技機の所定の位置に基板ケースの突起部を受け入れる係合穴を備えた第２の係止部を備え、基板ケースを所定の位置から所定の方向へ平行移動することにより、基板ケースの第１の側縁にあるミミ突出部を第１の係止部の「コ」形状部へ挟み込み、基板ケースを遊技機の第１の係止部で係止し、基板ケースの第１の側縁を第１の係止部で係止した状態で、基板ケースを第１の係止部へ係止したときに平行移動した方向と概ね直角の所定の方向へ平行移動することにより、基板ケースの第２の側縁にある突起部を第２の係止部の係合穴にスライド挿入して基板ケースを遊技機へ前記第２の係止部で係止し、セフティロックピンを封止部のピン挿通部へ挿通して封止することを特徴とする。
【００１８】
更に他の基板ケース係止手段は、基板ケースの第１の側縁に沿って側縁の長さより十分に短く基板ケースから平面方向に外へ向けて突出する所定の長さのミミ突出部を少なくとも１つ備え、ミミ突出部を所定の位置で「コ」形状部により挟み込み係止する第１の係止部を遊技機に備え、第１の側縁と概ね直角に位置する基板ケースの第２の側縁には、基板ケースから平面方向に外へ向けて出る突起部を少なくとも１つ備え、突起部に対応した遊技機の所定の位置に基板ケースの突起部を受け入れる係合穴を備えた第２の係止部を備え、基板ケースの第２の側縁にある突起部を第２の係合部の係合穴にスライド挿入する寸前の位置に置いたときに、基板ケースの第１の側縁にあるミミ突出部を縁に沿った方向に平行移動すれば第１の係止部の「コ」形状部の中に挟むことができる位置となるように構成し、基板ケースの第２の側縁にある突起部を第２の係合部の係合穴にスライド挿入する寸前の位置に置き、第１の側縁にあるミミ突出部を平行移動すれば第１の係止部の「コ」形状部の中に挟むことができる所定の位置に置き、基板ケースを第１の側縁に沿って平行移動し、基板ケースの第２の側縁にある突起部を第２の係合部の係合穴にスライド挿入することで、基板ケースを遊技機へ第２の係止部で係止し、同時に基板ケースの第１の側縁にあるミミ突出部を第１の係止部の前記「コ」形状部へ挟み込み、基板ケースを遊技機へ第１の係止部で係止し、セフティロックピンを封止部のピン挿通部へ挿通して封止することを特徴とする。
【００１９】
更に、上述の基板ケースの第２の側縁の突起部を受け入れる係合穴を備えた遊技機の所定の位置に備える第２の係止部は、第２の側縁にある突起部に対応した所定の位置に、基板ケースの突起部に対応して突起部を受け入れる係合穴を備え、遊技機の基板ケース取り付け面に対して概ね直立する面状をした係止部、又は、第２の側縁の突起部を受け入れる係合穴を備えた「コ」形状部であって、基板ケースを所定の位置から所定の方向に平行移動することにより、第２の側縁の突起部を係合穴へスライド挿入し、かつ基板ケースを「コ」形状部で挟み込み係止する係止部、であることを特徴とする。
【００２０】
更に、少なくとも、１）頭部と、その下にある形状部と、更にその下にある係止部を構成するピンの爪部と、更に下にあるピン部からなり、前記頭部は治具により回転の力を与えることが可能な形状であり、前記形状部は異形を形成し、前記爪部は少なくとも１本の爪からなり前記頭部に向かって前記爪が開いた形状をしていて弾性を持って開いた状態を保持し、前記爪を閉じるとピン部の最小径に近い径の穴を通過可能な径となり、前記ピン部の最大径は、前記異形部の最小径より小であるセフッティロックピンを備え、２）前記セフティロックピンを、基板ケースの基板ケースカバー側に備わっていて異形穴部からなるピン挿通部へ挿通することにより封止され、前記ピン挿通部は破壊容易なリブにより中空的に基板ケースカバーに支持されていて、前記異形穴部は前記セフティロックピンの形状部と同形をしていて僅かに大きな形状で一致し、前記セフティロックピンは、前記セフティロックピンのピン部から挿通され、次に爪部が閉じた状態で挿通され、次に形状部が所定の位置まで挿通された所で、前記爪部が設けられた空間で開き、セフティロックピンを抜くことを不可能とし、基板ケースが係止された位置で前記セフティロックピンのピン部の先端は、前記挿通部の基板ケース本体に開けられた挿通穴を通過して前記基板ケースの裏面より幾分かオフセット部として突出して、前記オフセット部の位置に対応する前記遊技機側の基板ケース取り付け面に設けられた前記オフセット部を嵌め込む嵌込穴部まで到達し、基板ケースを平行移動することを不可能とすることにより前記基板ケースを遊技機へ封止し、３）前記セフティロックピンの頭部へ治具により回転力を与え、前記セフティロックピンの形状部を回転させることにより、前記異形穴部を介して前記ピン挿通部を支持しているリブへ力を与え、前記リブを破壊し、前記セフティロックピンを除去することにより封止の解除がなされ、前記封止の解除を前記リブの破壊の痕跡として残すことにより前記封止の解除の履歴として残すことを特徴とする。
【００２１】
更に、上記の基板ケースの封止部に位置し、基板ケースの裏側へ「コ」の字状に下へフック形状を形成したフック係合部を設け、基板ケースを所定の位置から基板ケース取付板の表面をスライドすることにより、フック係合部を基板ケース取付板に引っかかる構造とし、遊技機へ基板ケースを密着させる基板ケース取付封止の補助部となるフック係合部を設け基板ケースの取付封止を行うことを特徴とする。
【００２２】
更に上述の基板ケースの基板ケースカバーは、透明又は半透明で、基板ケースカバー側から、主基板に装着されている部品の状態を観測可能であることを特徴とする。
【００２８】
＜本実施の形態例における各部の構成＞
（遊技機に基板ケースを装着、封止した例の概観）
図１は、遊技機に基板ケースを封止した例の概観を示す全体的斜視図である。図１では、遊技機１００の前面扉１０３を開いた場合の簡略化した斜視図を示しており、内部に固定された基板ケース１０２が、遊技機１００の筐体の基板ケース取付板２０６に取付けられている様子を示している。参照番号２１０は、以下に説明する本発明の封止部である。
【００２９】
基板ケース１０２は後述するように、基板ケース本体（３００：図３参照）と、その上に遊技機を制御するＣＰＵやＲＯＭ、ＲＡＭ等々の電子部品が装着・実装した遊技機の主制御基板（主基板と呼ぶ）（３０２：図３参照）を乗せ、更にその上から透明または半透明な樹脂からなる基板ケースカバー（３０１：図３参照）でカバーし、内部の主基板に装着・実装されている部品の実装状態が外部から観測可能であるように構成し、封止した状態では実装部品の取り外しや、不正改造（改竄、変造）を行い実装することが不可能である機構としている。
【００３０】
本発明の要旨は前述したように、第３者により、遊技機の動作が通常と異なる動作、制御をするように不正改造することを目的として、主基板３０２の収納されている基板ケース（１０２：図３参照）の基板ケースカバー３０１の封止を開封（解除）して外し、主基板３０２に実装されている部品を不正改造した部品に取り替えたり、主基板３０２を不正改造したり、主基板３０２を不正改造した主基板と取り替えたり、基板ケース１０２を遊技機１００から取り外し、不正改造した基板ケースと取り替えて再び装着することを防ぐことを目的とし、
（１）遊技機１００の基板ケース取付板２０６へ取り付けられた基板ケース１０２（主基板３０２を収納）を封止することにより、基板ケース１０２を基板ケース取付板２０６から取り外すには、基板ケース１０２の基板ケース取付板２０６（即ち遊技機１００）への装着の封止を解除（破壊）する必要が生ずるように構成する。
【００３１】
即ち、基板ケース１０２を遊技機１００の基板ケース取付板２０６（基板ケース１０２の遊技機への取り付け面）に対して概ね平行方向への移動を阻止するように基板ケース取付封止部（２０４：図２参照）を備え、基板ケース取付封止部の補助部として基板ケース１０２を遊技機１００の基板ケース取付面から離すことを阻止する部分を備えるように構成する。
【００３２】
（２）更に、中に主基板３０２を収納し一体化した基板ケース１０２を封止することにより、基板ケース１０２から主基板３０２を取り外し不正改造することを防ぎ、主基板３０２を不正改造するにはこの封止を解除しなければ主基板３０２が取り出せず、この封止を解除しなければ、主基板３０２の実装部品の交換や不正改造が不可能である構造とする。
【００３３】
即ち本発明は、基板ケース１０２の基板ケース取付け面への着脱、並びに主基板３０２の基板ケース１０２への脱着が容易であり、また封止作業、並びに封止の解除作業が容易であり、封止を解除した場合（正規には所定の機関による）は、所定の回数に限って再び封止をすることが容易にでき、更に、封止を解除した場合には封止を解除した履歴が残り（例えば痕跡として）、封止解除の履歴が容易に観察できる構造し、その解除の履歴に対応する理由を見やすい形で記録できる遊技機の基板ケース封止方法、並びに封止部材を提供する。
【００３４】
本実施の形態例では、後述するが、図１に示すように、遊技機１００の前扉１０３を開くと遊技機１００の本体側の上方に、基板ケース１０２全体を見ることができ、封止部２１０は基板ケース１０２の上の方に見やすく並んでいるが、図１の位置に制限されることはない。
【００３５】
（基板ケース）
主基板３０２を収納した基板ケース１０２を説明するために図１より取り出した図が図２である。図２では、図１の上部が左側になっている。更に、基板ケース１０２を説明するために基板ケース１０２が遊技機に取り付けられ封止部で封止、封印された断面を示す図が、図３（図１の上側が図３の上側となる）である。
【００３６】
基板ケース１０２の基本的構成は、図３の断面からも判るように、基板ケース本体３００と、その上側（図３では右側）に遊技機を制御するＣＰＵやＲＯＭ、ＲＡＭ等々の電子部品を上面（図３では右側）に実装した主基板３０２を乗せ、部品の実装状態が外部（図３の右方向）から観測可能とし、更に主基板３０２を包むように主基板３０２の上側（図３では、更に右側）に、透明または半透明な樹脂をからなる基板ケースカバー３０１でカバーするように構成している。
【００３７】
本実施の形態例では、基板ケース１０２の基板ケース本体３００と、主基板３０２と、基板ケースカバー３０１は、図２に示すように、係合し、四隅のネジ２００によって解体可能である形で一体化され止められている。
【００３８】
基板ケース本体３００と、主基板３０２と、ケースカバー３０１のネジ２００による一体化は、図３から判るように、基板ケース本体３００に所定の高さのボス３０５、３０６を設け、そのボス３０５、３０６の上に主基板３０２を乗せ、更に基板ケースカバー３０１に設けたボス３０７、３０８の部分で主基板３０２をカバーする位置から（図３では右側）、基板ケース本体３００のボス３０５、３０６に開けた穴と、主基板３０２に開けた穴と、ケースカバー３０１のボス３０７、３０８に開けた穴により、ネジ２００を用い、基板ケース本体３００とケースカバー３０１の中に主基板３０２を収納するように止め、一体化する。
【００３９】
本実施の形態例では、基板ケース本体３００のボス３０５、３０６の下側にナットを収容する凹部を設け、この凹部の形状を、ナットが少しの余裕を持って収納できる形状とし、ケースカバー３０１側にボス３０７、３０８からビスで止めるように構成している。
【００４０】
なお、このネジの止め方は、ナットを用いなくとも、基板ケース３００側のボス３０５、３０６の穴にタップを切るか、ボス３０５、３０６の穴を少し小さめに開け、木ネジのようなネジで（タップを切りながら）止めてもよいことはいうまでもない。
【００４１】
また、基板ケース本体３００のボス３０５、３０６の上部（主基板の乗る側）の一部分を本来のボスより少し細くして、この細い径が少しの余裕を持って入る穴を主基板３０２に開けておくことにより、基板ケース本体３００へ主基板３０２を乗せるのが容易になる。
【００４２】
主基板３０２を基板ケース本体３００へ乗せることを容易とする方法としては、基板ケース本体３００やケースカバー３０１へ位置決め部分を設けること等によっても可能である。
【００４３】
（封止部）
本実施の形態例における封止部２１０は、図２、図３から判るように、基板ケース１０２の上端部（図２では左側）に位置し、基板ケース１０２と一体となっており、基板ケース１０２の周縁から基板ケースと同じ平面方向で外側（本実施の形態例では上側）に向けて突出した部分が封止部である。
【００４４】
封止部は前述したように、
（１）基板ケース１０２を遊技機の基板ケース取付板２０６（遊技機本体）へ取付けて封止する、基板ケース取付封止部２０４と（図２参照）、
（２）基板ケース本体３００と、主基板３０２と、基板ケースカバー３０１を一体化して封止する基板ケース一体化封止部（基板ケース封止部）（２０３：図２参照）からなる。
【００４５】
（基板ケースの封止）
封止された基板ケース１０２を遊技機に取付け、封止するための補助部分の例の１つとして、本実施の形態例では、図２に示すように、基板ケース１０２の下側に突出した２つの突起部２０１がある。
【００４６】
この突起部２０１は、基板ケースを一体化して組み立てる時に、基板ケース本体３００に主基板３０２を乗せ、次に基板ケースカバー３０１の突起部２０１を、基板ケース本体３００の図３でいうと下側の対応する所に開けられた穴へ差込み、この差込み位置を回転軸として基板ケースカバー３０１の上部を閉じ、ネジ２００で４箇所を止め、更に基板ケース一体化封止部２０３で封止して基板ケース１０２を一体化し、封止する。
【００４７】
（基板ケース取付封止の補助部）
上述のようにして封止された基板ケース１０２を遊技機の基板ケース取付板２０６へ取付け、封止するための補助部部分の１つとして、上述の基板ケース１０２の下側に突起した突起部２０１がある。次に基板ケース１０２を基板ケース取付板２０６へ取り付けると、図３のようになる。
【００４８】
即ち、この突起部２０１は、遊技機本体に取り付けられた基板ケース取付板２０６の下部で「Ｌ」形に基板ケース取付板２０６より概ね直角に立ち上がった面に開けられた係合穴２０２へ係合できるように構成している。
【００４９】
そこで、更に他の補助部として、図２に示すように、基板ケース１０２の左側（図２では、下側）に設けた、２つのミミ状突出部２０５と、このミミ状突出部２０５に対応して、基板ケース取付板２０６の左端（図２では下端）に設けた「コ」形状部３０９がある。
【００５０】
基板ケース取付板２０６の左端に設けた「コ」形状部３０９は、図示してないが、下から見ると（図２では右から見ると）「コ」形状（逆の字）をしており、基板ケース１０２を基板ケース取付板２０６の面へ平らに着くように乗せた場合に、上記のミミ突出部２０５が上記の「コ」形状部３０９の間に挟まるように位置する構造となっている。
【００５１】
また、「コ」形状部３０９の表側の一部には切り込みがあり（本実施の形態では２箇所）、その位置と形状は、基板ケース１０２の下より出ている突起部２０１を、基板ケース取付板２０６の下部の「Ｌ」形状の対応する部分に開けられた係合穴２０２に差し込む直前の位置に置いた所で、上述の基板ケース１０２の２つのミミ突出部２０５が上述の「コ」形状部３０９へ表側より中側に挟まれるように入り込めるよう構成している。
【００５２】
従って、基板ケース１０２の左側の２つのミミ突出部２０５を、基板ケース取付板２０６の切り込みに合せて「コ」形状部３０９の「コ」の間に入れ、更に基板ケース１０２の下側の突起部２０１を基板ケース取付板２０６の下部の「Ｌ」形の部分にある係合穴に合せ、差し込むように基板ケース１０２をスライド挿入することにより、図２に示すように、基板ケース１０２の左側にある２つのミミ突出部２０５は、基板ケース取付板２０６の「コ」形状部３０９に挟まれ左方向に平行移動が不可能であるように固定された状態となる。また、基板ケース１０２は、下側の「Ｌ」形の補助部により、下方向に平行移動が不可能であるように固定された状態となる。同時に、基板ケース１０２は、左側の「コ」形状部３０９に挟まれ、更に突起部２０１が、係合穴２０２に挿入されているので、基板ケース１０２は、遊技機１００の基板ケース取付板２０６から離すことが阻止され、不可能となる。
【００５３】
以上のようにして遊技機１００の基板ケース取付板２０６へ取り付けられた基板ケース１０２を取り外すには、基板ケース１０２の左側の２つのミミ突出部２０５を、基板ケース取付板２０６の切り込みに合うまで基板ケース１０２を上方向にスライドし、基板ケース１０２を引き起こす必要がある。
【００５４】
そこで、本実施の形態例として、上述のように基板ケース１０２が、基板ケース取付板２０６の「コ」形状部３０９に挟まれ収容された状態で、基板ケース１０２を上方向にスライド（平行移動）できないようにし、又突起部２０１が係合穴２０２に挿入・係合され右方向にも平行移動できない状態で、基板ケース１０２の上の基板ケース取付封止部２０４のいずれかに後述するセフティロックピン５００を挿入することにより基板ケースと基板ケース取付板２０６の間を引っかけて平行移動を阻止して封止し、また挿入したセフティロックピン５００を取外して封止を解除すには、セフティロックピン又はその挿入部を破壊しなければならなく、封止を解除・開封した解除履歴を破壊の痕跡として残す構成としている。
【００５５】
ここで、基板ケース取付板２０６は、図２並びに図３に例を示しているように、基板ケース１０２が取り付けられていない状態で筐体１００に、基板ケース取付板２０６を基板ケース取付固定ネジ３０４で取付け、基板ケース１０２を取り付けた状態では、基板ケース取付固定ネジ３０４を外すことのできない構造としている。
【００５６】
上述のように、基板ケース１０２の左側にあるミミ突出部２０６に対応して、「コ」形状部３０９に切り込みを入れて置くことにより、基板ケース１０２を封止するのに、基板ケース１０２を左方向に平行移動する必要がなくなり、下方向に平行移動するだけで済み、基板ケースを取り付ける幅に制限のある場合にも、基板ケース１０２の幅、即ち主基板３０２の幅を余分に取れることになる。
【００５７】
本実施の形態例では、更なる基板ケース取付封止の補助部として、図２、図３、図６の参照番号３０３で示すフック係合部を設けている。フック係合部３０３は、封止部２１０を基板ケース１０２の上にして見た時に、図示していないが、封止部２１０の両端に位置し、基板ケース１０２の裏側で、「コ」の字状に下へ伸びたフック状をしており、基板ケース１０２を所定の位置から、基板ケース取付板３０９の表面を上から下にスライドすると、フック係合部３０３が、基板ケース取付板２０６に引っかかる（フックする）構成になっている。
【００５８】
従って、基板ケース１０２の封止部２１０の位置に設けたフック係合部３０３により、基板ケース１０２は、基板ケース取付板２０６に係合させ、密着させることができ、基板ケース１０２は手前側（基板ケース取付板２０６から離れる方向）にガタついて動かないように、基板ケース取付板２０６へ固定できる。このようにすることにより、基板ケース１０２は、放熱板のネジ２０８により締め付けなくても、各部の係合（突起部２０１、ミミ突出部２０５、フック係合部３０３）により、基板ケース取付板２０６へしっかり密着固定できる。
【００５９】
ここで、基板ケース１０２がフック係合部３０３によって、基板ケース取付板２０６へ固定されていないと、不正改造者は、放熱板のネジ２００を緩めた後、基板ケース１０２を手前に引いて無理に動かし基板ケース１０２を浮かせた状態で、セフティロックピン５００のピン部５０５の基板ケース裏面にオフセット部として突出している部分を切断したり、抜き取ったりして、主基板の不正改造を行なった後、放熱板のネジ２００を締付け、更に、セフティロックピン５００を抜き取った場合はセフティロックピン５００を基板ケース取付封止部２０４の挿通部から嵌め込むことにより、外観上は不正改造を見分けることが全くできなくなる。
【００６０】
しかし、本発明の基板ケース１０２の基板ケース取付板２０６への取付構造に、本フック係合部３０３を更に基板ケース取付封止の補助部として設けることにより、基板ケース１０２をフック係合部３０３により基板ケース取付板２０６へ密着固定し、セフティロックピン５００を基板ケース取付封止部２０４の挿通部に挿入し、基板ケース１０２を基板ケース取付板２０６へ一旦固定してしまえば、セフティロックピン５００を固定しているリブ７０１を破壊（痕跡が履歴として残る）しない限り、基板ケース１０２を基板ケース取付板２０６から取外すことができなくなる。
【００６１】
（放熱）
本実施の形態例では、図２から判るように、基板ケース１０２に収納されている主基板３０２に実装されているＲＯＭ等、電子部品の発熱を放熱するための放熱板２０７を、主基板３０２の右側に基板ケースガバー３０１より外に出た状態で実装（図２では、放熱板固定ネジ２０８で取り付けられている）し、電子部品等から発生する熱を外気に放出する構造をとっている。なお本実施の形態では、図２の放熱板２０７の上下２箇所に設けてある締付け放熱板固定ネジ２０８により基板ケース１０２を基板ケース取付板２０６に固定している。
【００６２】
更に、図２から判るように、本実施の形態例では、基板ケースカバー３０１に通気性の穴を複数開けて、少量の発熱はこの穴から発散するように構成している。
【００６３】
（基板ケースの遊技機への取付、封止）
基板ケース１０２を遊技機へ取付けてこれを封止することは、上述の封止部の（１）で説明した封止であって、基板ケース１０２を基板ケース取付板２０６、即ち遊技機本体に封止することと、遊技機に封止してある基板ケース１０２を遊技機から取り外した場合に、１箇所で集中的にその痕跡が判るように構成している。
【００６４】
基板ケース１０２を基板ケース取付板２０６（遊技機本体）に封止する基板ケース取付封止部２０４は、図２、図３に図示するように、基板ケース本体３００の上端部および基板ケースカバー３０１の上端部にある基板ケース取付封止部２０４（本実施の形態例では４箇所、位置的には図２参照）の１箇所にセフティロックピン５００（図４参照、詳細は後述する）を嵌合させ、基板ケース１０２を上にスライド（平行移動）できないようにし、セフティロックピン５００を外すとその痕跡が残る構造とすることで、基板ケース１０２を基板ケース取付板２０６に封止し、遊技機に封止、封印する構成としている。
【００６５】
（基板ケースの一体化、封止のセフティロックネジ）
基板ケースの一体化封止は、上述の（２）の封止であって、基板ケース本体３００と、主基板３０２と、基板ケースカバー３０１を一体として封止し、基板ケースを開けた場合に、基板ケース１０２の遊技機への封止したと同様に、１箇所（本実施の形態例では、基板ケース１０２の遊技機への封止と同じ所に集中して２箇所ある）で集中的にその痕跡が判るように構成している。
【００６６】
基板ケース１０２は、前述のように基板ケース本体３００と基板ケースカバー３０１の間に、ＣＰＵやＲＯＭ等の遊技機の制御の中枢となる主基板３０２を収納させ、固定ネジ２００によって基板ケース１０２の四隅で接合して一体構成としている。
【００６７】
更に、後述するようにセフティロックネジ４００によって封止する位置を本実施の形態例では２箇所（図２、図６参照、詳細は後述する）設けており、セフティロックネジ４００をネジ止することにより、基板ケース本体３００と、主基板３０２と、基板ケースカバー３０１を一体化した基板ケース１０２を、基板ケース一体化封止部２０３（位置的には図２参照）で封止する。
【００６８】
なお、基板ケース１０２の封止を解除して主基板３０２を取り出すには、セフティロックネジ又はその基板ケース封止部を破壊しなければならなく、封止を解除・開封した解除履歴を破壊の痕跡として残す構成としている。
【００６９】
（基板ケースの遊技機への取付のセフティロックピン：５００）
図４は、基板ケース１０２を基板ケース取付板２０６に封止するためのセフティロックピン５００の断面図である。
【００７０】
セフティロックピン５００は、図４に示すように、抜き取り紐５０３を備えるピン頭部５０２と、その下に形状部５０４と、更に下に係止部を構成するピンの爪５０１と、更に下にピン部５０５から構成される。
【００７１】
係止部となるピンの爪５０１は、図４に示すように、ピンの爪５０１が、弾性を持っており、図２に示す基板ケース取付封止部２０４に開けられたのピン挿通部を通る時は、点線のように閉状態となり、図６（基板ケースが基板ケース取付板２０６に取り付けられたときの断面を説明する図）から判るようセフティロックピン５００がピン挿通部を通過した後は、再び開き、引き抜くことを不可能としている。また、ピン頭部５０２の下に設けられた形状部５０４は、図７（基板ケースの突出して設けてある封止部を説明するために一部を拡大して示した図）に示すように円形でなく異形（セフティロックピン５００が回転できない形状、本実施の形態例の図６では四角形）をしたピン挿入通部を通過できるように合せた異形をしている。
【００７２】
従って、セフティロックピン５００を基板ケース取付封止部２０４に挿通すると、セフティロックピン５００が、図３から判るように、基板ケース取付板２０６まで掛かって、基板ケース１０２をスライドできない構造となり、セフティロックピン５００を抜き取らない限り、基板ケース１０２は、遊技機１００から取外すことができない。
【００７３】
即ち、セフティロックピン５００がピン挿通部に嵌め込まれると、ピンの爪５０１が開いた状態となり基板ケース本体３００のピン挿通部に抜けないようにロックされる。基板ケース取付封止部２０４のピン挿通部は、図７に示すように基板ケース取付封止部の挿通部を支えるため、その周辺の枠へ橋渡しするようにリブ７０１が設けられていて、このリブ７０１は、所定以上の回転トルクが加わると容易に破壊する構造となっている。従って、形状部５０４の異形のピン挿通部がピンの形状部と一致しているために、ピン頭部５０２をドライバー等により回転させてピン挿通部を破壊しない限り、セフティロックピン５００は抜くことができない構造になっている。即ち、セフティロックピン５００を抜くには、リブ７０１を破壊しなければならず、この破壊の痕跡は、基板ケース１０２を遊技機１００より取り外した履歴として見やすい所に残る構成としている。
【００７４】
ここで、抜き取り紐５０３は無くてもよいが、あると破壊したリブ７０１を取り出すのに便利である。
【００７５】
以上詳細に説明したようにして、基板ケース１０２は遊技機１００へ取付られ、封止、封印する。
【００７６】
（基板ケースを封止するセフティロックネジ：４００）
図５は、一体化した基板ケース１０２を封止するときに使用するセフティロックネジ４００の断面図である。このセフティロックネジ４００は、頭部４０１と、接触部４０２と、上端部４０３と、上端部４０３から下へ伸びる胴部からなり、胴部にはネジ部が切ってある。
【００７７】
図６から判るように、このセフティロックネジ４００を、保護筒部６００から基板ケース一体化封止部２０３の保護筒部６００を通じて背面に埋め込んであるナット（又はタップ部でもよい）と合せ、ドライバー等をセフティロックネジ４００の頭部４０１に当てて締込む。ドライバーによる締付けが規定のトルクを超えると頭部４０１が、接触部４０２で切断される。
【００７８】
頭部が切断されたセフティロックネジ４００の上端部４０３は下底の面積が広く上部（底）の面積が小さくなる円錐を切断したような形状になっている。このため上端部４０３をペンチやニッパー等の工具で挟んでも外へ力が逃げるようになっていて、セフティロックネジ４００の緩み方向には操作することができない構成となっている。
【００７９】
ここで、セフティロックネジ４００による止め方は、ナットを用いなくても、基板ケース３００にタップを切っておいてもよく、又は基板ケース３００に少し小さめの穴を開け、木ネジのようなネジでセルフタップを切りながら止めてもよいことはいうまでもない。
【００８０】
また、図７に示すように基板ケース一体化封止部２０３の挿通部（ネジ螺合部）から周辺の枠へ橋渡しするようにリブ７００が設けられていて、このリブ７００は、所定以上の力が加わると破壊する構造となっている。従って、何らかの方法で、挿通部を破壊しない限り、セフティロックネジ４００を抜くことができなく、セフティロックネジ４００を抜くためには、リブ７００を破壊することになり破壊の痕跡が残り、一体化された基板ケース本体３００と、主基板３０２と、基板ケースカバー３０１よりなる封止した基板ケース１０２を解体し、（場合によっては内部に何らかの手を加え、改竄、変造等を行い）、再び装着したことの履歴となる。
【００８１】
以上詳細に説明したように、一体化した基板ケース１０２の封止は、セフティロックネジ４００でなされる。
【００８２】
（封止部のリブ部分）
図７に簡略的にリブ７００と、リブ７０１が示してある。前述したように、各挿通部は周辺の枠部分と離れて構成されており、各挿通部を囲む部分と、その挿通部を周辺の枠部分に橋渡しするようにリブがも設けられている。基板ケース１０２の一体化封止を行なう基板ケース一体化封止部２０３に対するリブは、リブ７００であり、基板ケースを遊技機１００に取付け封止する基板ケース取付封止部２０４に対するリブは、リブ７０１で示してある。
【００８３】
各リブは、所定の力や回転トルクが加ると破壊される構造となっており、またリブを破壊、切断しなければ、封止を解除できない封止の構造となっていて、リブの破壊の痕跡が、各封止を解除した履歴として残る。
【００８４】
＜基板ケースの取付＞
本実施の形態例における基板ケース１０２を使用した遊技機が遊技場（ホール）に設置された後に、必要により所定の機関等により、ＣＰＵ、ＲＯＭ等の電子部品の実装状態や、電子部品（ＲＯＭ中の制御ソフトウエアを含む）等に不正改造（改竄）が加わっていないか、または故障がないか等の検査を行う場合、上述の封止を解除したり封止したりする手順と、その過程で発生する可能性のある不正を防止する対策等について以下詳細に説明する。
【００８５】
（基板ケース一体化封止、封印）
一般に、ホール（遊技場、パーラー等ともいう）に遊技機を設置した業者とは異なる基板取付認定書を取得している専門の遊技機取扱主任者が、ＣＰＵやＲＯＭ等の電子部品を収納した遊技機の中枢となる制御部の基板ケース１０２を単体でホールに持込み、遊技機に装着した後、必要な検査を行い、封止（封印）をし、ホールへの引き渡しを行なっている。
【００８６】
ここで、基板ケース１０２の封止は、監督官庁等により指定された団体組織により行われる。本実施の形態例における基板ケース１０２の封止（上述のように、基板ケース本体３００と、主基板３０２と、基板ケースカバー３０１を一体化して封止すること）は、本実施の形態例では、基板ケース１０２を遊技機１００に取り付ける状態での、基板ケース１０２の周縁の上端に位置する封止部にある基板ケース一体化封止部２０３によって行われる。これは、見易い所ならばどこでもよいことはいうまでもない。
【００８７】
基板ケース一体化封止部２０３の封止、封印は、（１）基板ケース一体化封止部２０３の左右の端にある基板ケース一体化封止部２０３の左端側の基板ケース一体化封止部２０３のネジ挿通部にセフティロックネジ４００でネジ締めすることにより封止することと、（２）基板封印シールによる封印を合せて行なうことにより封印する。尚、基板ケース一体化封止部２０３の右端側の基板ケース一体化封止部２０３は、最初の時点での封止には使用しない。
【００８８】
（基板ケースの遊技機への取付封止、封印）
遊技場（ホール）に遊技機を設置する際の基板ケース１０２の取付は、遊技機取扱主任者が立ち会い、遊技機１００に基板ケース１０２を取付け封止し、封印をする。遊技機１００への基板ケース１０２の取付け封止は、基板ケース１０２の一体化の封印と同じ基板ケース１０２の周縁の上端に位置する封止部にある基板ケース取付封止部２０４（４箇所の中の１つ）によって封止する。即ち、最初の封止は（１）基板ケース取付封止部２０４の最左端の１箇所にセフティロックピン５００を嵌め込み、基板ケース１０２を基板ケース取付板２０６に固定し、封止することと、（２）基板ケース１０２と遊技機とを台封印シールにより封印する。尚、残りの基板ケース取付封止部２０４のピン挿通部は、この時点での封印には使用しない。
【００８９】
（封止、封印の解除と再封止、封印）
遊技場（ホール）等に遊技機を設置した後、封止、封印を解除し、主基板３０２のＣＰＵやＲＯＭ等の検査を行い、再び封止、封印する場合について以下説明する。
【００９０】
［遊技機から基板ケース取外、封止、封印を解除］
まず、基板ケース１０２を遊技機１００から取り外す。その手順は、（１）遊技機の台封印シールを剥がした後、（２）基板ケース１０２を遊技機１００に取り付けて基板ケース取付封止部２０４で封印してあるセフティロックピン５００をドライバー等により回転させ、セフティロックピン５００のピン挿通部を固定している２本のリブ部７０１を破壊し（図７参照）、抜き取り紐５０３を引いて破壊した部分を取り出し、基板ケース１０２を単体として基板ケース取付板２０６、即ち遊技機１００から取り外する。
【００９１】
［一体の基板ケースの封止、封印を解除］
次に、基板ケース１０２の封止を解除するには、（１）基板ケースの封印シールを剥がした後に、（２）単体になった基板ケース１０２のセーフティーロックネジ４００のネジ螺合部を固定している２本のリブ部７００にドライバー等を挿入させて破壊する（図７参照）ことにより、基板ケース１０２の封止を解除し、一体化した基板ケース本体３００と、主基板３０２と、基板ケースカバー３０１を分離する。従って、基板ケース１０２を開けてＣＰＵやＲＯＭ等の実装された電子部品制御基板である主基板３０２を取り出して容易に検査できる。
【００９２】
なお、基板ケース１０２の封止を解除した場合は、再度基板ケース１０２の封止を行なわず封印シールを貼るのみとする。
【００９３】
［基板ケースの遊技機への取付、再封止、封印］
基板ケース１０２の封止を解除して取り外した後、主基板３０２に対する所定の必要な検査が終了したならば、再度、主基板３０２と、基板ケース本体３００、並びに基板ケースカバー３０１を基板ケース１０２として一体化し、再封止、封印する。
【００９４】
基板ケース１０２を遊技機１００の基板ケース取付板２０６へ取付て再封止するには、前述封止と同様に次の手順で行なう。
（１）基板ケース１０２の周縁の上端に位置する封止部にある基板ケース取付封止部２０４によって封止する。即ち、基板ケース取付封止部２０４の最左端にある前回封印した封止部（破壊した封止部）に隣接する挿通部にセフティロックピン５００を嵌め込み、基板ケース１０２を基板ケース取付板２０６に固定、封止する。残りの基板ケース取付封止部２０４のピン挿通部は、この時点での封止には使用しない。
（２）基板ケース取付の封印シールにより再封印する。
（３）更に、基板ケース１０２の正面のシール貼付部に貼付された検査履歴シールに、その検査履歴を記載する。
【００９５】
以上の手順により基板ケース１０２を再度遊技機１００へ装着し、封止、封印し、その履歴も残るので、本発明によれば、検査後の再封止、封印が容易であり、また主基板３０２等の不正改造が容易に発見できる遊技機を提供できる。
【００９６】
（基板ケースの回収）
遊技場（ホール）側が遊技機を交換するときは、前述の基板ケース一体化封止部２０３の左右の端にある基板ケース一体化封止部２０３の右端側の基板ケース一体化封止部２０３のネジ挿通部にセフティロックネジ４００を締付けし、基板ケース１０２を単体でメーカが回収するようにする。これにより、基板ケース１０２の回収経路の途中で、遊技機のゲーム性等を左右する重要な制御を行なうＣＰＵやＲＯＭ等の電子部品が実装されている主基板３０２の内容情報を外部の不正業者に漏らすことなくメーカの管理下のもと回収し、処分することが可能となり不正の防止を行うことができる。また、基板ケース１０２のみを封止したまま単体で回収できるので作業工数も省力化できる。
【００９７】
（複数回の封止解除と再封止）
本発明の実施形態における基板ケース１０２を遊技機１００より取り外し検査するために封止、封印の解除（開封）と、再封止は、以上の説明からも判るように１つの基板ケース１０２について３回まで可能であり、そのいづれの場合でも、封止の解除にあたりセフティロックピン５００のピン挿通部を破壊し、再封止の場合は破壊したピン挿通部の右隣側の基板ケース取付封止部２０４にセフティロックピン５００を嵌め込み再封止しすれば良い。
【００９８】
即ち、本実施の形態例で示したように本発明によれば、封止、封印を解除し、主基板３０２へ改竄、改造を加え、再装着した場合、各セフティロックネジ４００のネジ螺合部とセフティロックピン５００のピン挿通部とが破壊されて欠損するため、基板ケース１０２側に必ず開封の痕跡ができ、その隠蔽も極めて困難となる。
【００９９】
従って、基板ケース１０２を開封してＣＰＵやＲＯＭ等の電子部品の実装された主基板３０２を不正に交換する等の不正改造が行い難くなり、不正改造を未然に防止できることができる。
【０１００】
特に、開封の痕跡が基板ケース１０２側に残り、その痕跡の完全な隠蔽が極めて困難であるため、不正改造者への精神的抑制の効果を期待でき、不正改造の横行を未然に防止できる。しかも、基板ケース側に痕跡と検査履歴シール側の検査履歴とを照合することによって不正改造済か否かの識別も容易にできる。
【０１０１】
更に、基板ケース１０２の各々の係合部および封止部は、周縁の外側方向に突出しているため、これらの封止部等によって基板ケース１０２に収納されているＣＰＵやＲＯＭ等の電子部品を実装する主基板３０２の制約が少なくなり、ＣＰＵやＲＯＭ等の電子部品を実装する主基板３０２の実装有効面積を十分に確保することができる。
【０１０２】
以上詳細に説明したように本発明によれば、痕跡を残さずに基板ケースを開封することは殆ど不可能であり、基板ケースを開封すれば、必ずその痕跡が基板ケース側に残ることになり、不正改造を容易に発見できる。
【０１０３】
また、本発明によれば基板ケース１０２を遊技機１００へ取付て封止、封印するのに、ネジ等を少なく、係合部を多くすることで、工具が不必要となり組み付け工数が飛躍的に改善され、かつＣＰＵやＲＯＭ等の電子部品を実装した主基板３０２の不正改造を防止できる。
【０１０４】
以上本実施の形態例では、基板ケース１０２を遊技機１００、基板ケース取付板２０６（基板ケースの取り付け面）に対して概ね平行方向への移動を阻止する手段として、基板ケース取付板２０６の基板ケース１０２の取付位置に対して左側に左方向へ平行移動することを阻止する「コ」形状部３０９と、下方向へ平行移動することを阻止するように、基板ケース１０２の取付位置に対して下側に「Ｌ」形に基板ケース取付板２０６より概ね直角に立ち上がった面を備え、更に基板ケースを遊技機１００の基板ケース取付板２０６から離すことを阻止する手段として、基板ケース１０２を左側で「コ」形状部３０９で挟み込み、また基板ケースの下側の突起部２０１に対応して基板ケース取付板２０６の「Ｌ」形の立ち上がった面に係合穴２０２を備え、突起部２０１と係合穴２０２を係合させて、基板ケース取付封止部２０４にセフティロックピンを挿入することにより、基板ケース１０２が基板ケース取付板２０６上でスライドしないように封止している。
【０１０５】
（他の封止の例）
本発明による封止は、基板ケース１０２を基板ケース取付板２０６上で平行移動できないように構成し、封止部により固定、封止するとことであるので、本発明がカバーする封止の形として多くあるが、その中の幾つか例として次のような封止があげられる。
【０１０６】
（１）基板ケース１０２の側縁を、１箇所又は２箇所、「コ」形状部で挟み込み係止する係止部を基板ケース取付板２０６上に備え、基板ケース１０２を基板ケース取付板２０６上で平行移動してこの係止部に挟み込み、遊技機１００の基板ケース取付板２０６から離すことを阻止し、また「コ」形状部と基板ケース取付封止部２０４で、基板ケース１０２を基板ケース取付板２０６上で平行移動することを不可能として封止する。
【０１０７】
（２）基板ケース１０２の１箇所の側縁に突起部を少なくとも１つ備え、この突起部と係合する係合穴を備えた「コ」形状部を基板ケース取付板２０６上に備え、基板ケース１０２を基板ケース取付板２０６上で平行移動して突起部と係合穴を係合させ、同時に基板ケース１０２を「コ」形状部で挟み、基板ケース１０２を遊技機１００の基板ケース取付板２０６から離すことを阻止し、同時に「コ」形状部と封止部で基板ケース１０２を基板ケース取付板２０６上で平行移動することを不可能として封止する。
【０１０８】
（３）基板ケース１０２の１箇所の側縁を「コ」形状部で挟み込み係止する係止部（第１の係止部とする）を基板ケース取付板２０６上に備え、また基板ケース１０２の第１の係止部により係止される側縁と概ね直角に位置する側縁に基板ケース１０２から平面方向に外へ向けて出る突起部（１つでも複数でもよい）を備え、この突起部に対応して基板ケース取付板２０６上に基板ケース１０２の突起部を受け入れる係合穴を備えた係止部（第２の係止部とする）を備え、
基板ケース１０２を基板ケース取付板２０６上で「コ」形状部（第１係止部）のある方向へ突起部が第２の係止部に引っかからない位置で平行移動し、基板ケースを第１の係止部の「コ」形状部へ挟み込み係止し、この状態で基板ケース１０２を前と概ね直角の方向にある第２の係止部の方向へ平行移動し、突起部を第２の係止部の係合穴にスライド挿入して係止し、第１の係止部と第２の係止部並びに封止部で基板ケース１０２を遊技機１００の基板ケース取付板２０６から離すことを阻止すると同時に、基板ケース１０２を基板ケース取付板２０６上で平行移動することを不可能として封止する。
【０１０９】
（４）基板ケース１０２の１箇所の側縁に沿って基板ケースから平面方向に外へ向けて突出するミミ突出部（１つでも複数でもよい）備え、基板ケース取付板２０６には、このミミ突出部をで「コ」形状部により挟み込み係止する係止部（第１の係止部とする）を備え、また基板ケース１０２の第１の係止部により係止される側縁と概ね直角方向に位置する側縁に基板ケース１０２から平面方向に外へ向けて出る突起部（１つでも複数でもよい）を備え、この突起部に対応して基板ケース取付板２０６上に基板ケース１０２の突起部を受け入れる係合穴を備えた係止部（第２の係止部とする）を備え、基板ケース１０２を基板ケース取付板２０６上で「コ」形状部（第１係止部）のある方向へ突起部が第２の係止部に引っかからない位置で平行移動し、基板ケースのミミ突出部を第１の係止部の「コ」形状部へ挟み込み係止し、この状態で基板ケース１０２を前と概ね直角の方向にある第２の係止部の方向へ平行移動し、突起部を第２の係止部の係合穴にスライド挿入して係止し、第１の係止部と第２の係止部並びに封止部で基板ケース１０２を遊技機１００の基板ケース取付板２０６から離すことを阻止すると同時に、基板ケース１０２を基板ケース取付板２０６上で平行移動することを不可能として封止する。
【０１１０】
（５）また、前の（４）で、ミミ突出部の側縁に沿っての長さを、側縁の長さに比べ数分の１以下に短くし（１つでも複数設けてもよい）、第２の係止部の係合穴に基板ケース１０２の突起部をスライド挿入して係止した時に、このミミ突出部をカバーし、ミミ突出部がに基板ケースから離れることを阻止する位置に「コ」形状部を配置し（「コ」形状部は、基板ケース１０２を係止した時にミミをカバーすればよく、ミミ突出部を複数備えた場合、「コ」形状部はミミをカバーする所だけに分散して備えても、側縁と同じ長さで備え、実施の形態の中で詳細に説明したように、ミミ突出部を「コ」形状部の間に挟む位置、即ち突起部を第２の係止部の係合穴にスライド挿入する寸前で、ミミ突出部が「コ」形状部の間に入り込める切り込みを入れた１個の「コ」形状部であっても良い）、第１の係止部と第２の係止部並びに封止部で基板ケース１０２を遊技機１００の基板ケース取付板２０６から離すことを阻止すると同時に、基板ケース１０２を基板ケース取付板２０６上で平行移動することを不可能として封止する。
【０１１１】
（６）ここで、前の（３）〜（５）の突起部を受け入れる係合穴を備えた基板ケース取付板２０６上に備えるの第２の係止部は、基板ケースの突起部に対応して突起部を受け入れる係合穴を備えた基板ケース取付板２０６対して概ね直立する面状をした係止部であっても、基板ケースの突起部に対応して突起部を受け入れる係合穴を備えた「コ」形状部であってもよい。
【０１１２】
以上、本発明を実施の形態例や、好ましい様態で詳細に説明したが、基板ケース１０２に設けた基板ケース封止部２０４やその他の係合部の取付位置等を含め、本発明は本実施の形態例に制限されるものではなく、本発明の請求の範囲に記載された範囲で変形や追加や修正が可能であることはいうまでもない。
【発明の効果】
以上詳細に説明したように、本発明によれば、基板ケースの遊技機への取付けの封止を開封（解除）する場合、基板ケース側に開封の痕跡を履歴として残し、開封の事実を容易に確認でき、また開封後に再封止する時にも容易に基板ケースを封止できる。
【図面の簡単な説明】
【図１】本実施の形態における遊技機に基板ケースを封止した例の外観を示す斜視図である。
【図２】主基板を収納した基板ケースを説明するための図である。
【図３】基板ケースが遊技機に取り付けられ封止部で封止、封印された断面を示す図である。
【図４】本実施の形態における遊技機へ基板ケースを取付ける基板ケース取付封止に使用されるセフティロックピンを説明するための図である。
【図５】本実施の形態における遊技機の基板ケースを一体化封止するのに使用されるセフティロックネジを説明するための図である。
【図６】本実施の形態における遊技機の基板ケースが基板ケース取付板に取付けられた断面図を示す図である。
【図７】本実施の形態における遊技機の基板ケースに突出して設けてある封止部を説明するために一部を拡大して示した図である。
【符号の説明】
１００  遊技機（本体）
１０２  基板ケース
１０３  開閉扉
２００  ネジ
２０１  突起部
２０２  係合穴
２０３  基板ケース一体化封止部
２０４  基板ケース取付封止部
２０５  ミミ突出部
２０６  基板ケース取付板
２０７  放熱板
２０８  放熱板固定ネジ
２１０  封止部
３００  基板ケース本体
３０１  基板ケースカバー
３０２  制御基板（主基板）
３０３  フック係合部
３０４  基板ケース取付板固定ネジ
３０５、３０６、３０７、３０８  ボス
３０９  「コ」形状部
４００  セフティロックネジ
４０１  頭部
４０２  接合部
４０３  上端部
５００  セフティロックピン
５０１  ピンの爪
５０２  ピン頭部
５０３  抜取り紐
６００  保護筒部
７００  リブ（基板ケース一体化封止のネジ螺合部を支える）
７０１  リブ（基板ケース取付封止部の挿通部を支える）
【図１】
0003630362.tif 000002
【図２】
0003630362.tif 000003
【図３】
0003630362.tif 000004
【図４】
0003630362.tif 000005
【図５】
0003630362.tif 000006
【図６】
0003630362.tif 000007
【図７】
0003630362.tif 000008